(57)【要約】【課題】所望の視認性を担保しつつ、好適な使用感を提供し得る文具製品を提供する。【解決手段】本発明に係る文具製品は、可撓性を有する合成樹脂からなり透光性を有する主シートと、この主シートの一部に重層して配されるとともに前記主シートと同じ素材からなる透光性を有するものであり且つ厚み寸法を小さくすることにより撓み易く形成した副シートとを有する表シート体を、使用者側へ向けた表面に配してなり、前記主シートと前記副シートとの間に紙葉類を通し得るようにしている。【選択図】図２
2015217555.tif 000002
【特許請求の範囲】
【請求項１】
可撓性を有する合成樹脂からなり透光性を有する主シートと、
この主シートの一部に重層して配されるとともに前記主シートと同じ素材からなる透光性を有するものであり且つ厚み寸法を小さくすることにより撓み易く形成した副シートとを有する表シート体を、使用者側へ向けた表面に配してなり、
前記主シートと前記副シートとの間に紙葉類を通し得るようにしている文具製品。
【請求項２】
前記主シートの透光性を前記副シートの透光性よりも高くしている請求項１記載の文具製品。
【請求項３】
前記表シート体の裏面側に裏シート体を設けるとともに、前記表シート体と前記裏シート体との間に紙葉類を収容し得る収容部を形成している請求項１又は２記載の文具製品。
【請求項４】
前記副シートが前記表シート体に接離可能に構成されることにより、前記主シートと前記副シートとの間から紙葉類を挿脱し得る請求項３記載の文具製品。
【請求項５】
前記主シートと前記副シートとの間に、紙葉類を挟み込むための挟み込み部を形成している請求項１又は２記載の文具製品。
【請求項６】
前記表シート体の裏面側に裏シート体を設けるとともに、これら表シート体及び裏シート体が冊子本体を挟み込んだ状態で端部の一部が綴じられている請求項１、２又は３記載の文具製品。
【請求項７】
前記主シート又は前記副シートの一部における外方から露出する箇所に、使用者に一定の印象を与え得る印象付与部を設けている請求項１、２、３、４、５又は６記載の文具製品。
【発明の詳細な説明】
【技術分野】
【０００１】
本発明は、紙葉類を綴じたり収容したりして保持しておくために、オフィスや家庭において好適に使用される文具製品に関するものである。
【背景技術】
【０００２】
従来、紙葉類を綴じたり収容したりしておくための文具製品が種々提案されている(例えば、特許文献１参照)。
【０００３】
またこのような文具製品はオフィスのみならず、家庭や個人での使用においても、管理する紙葉類の種類が他の紙葉類と明確に識別できるよう、文具製品を複数用意し、紙葉類を管理するということが行われてきた。
【０００４】
上記の目的を好適に実現し得る文具製品の一例としては、特許文献１に記載のファイルを挙げることができる。かかるファイルは、複数のファイルを本棚等に陳列した際に背表紙側に露出する見出しポケットの中に別体の見出し紙等を挿入するものである。そしてこの見出し紙の色や見出し紙に記載した内容により、隣接する位置にある他のファイルよりも明確に違うと使用者に思わせるに足るように視認性を高める、換言すれば見た目を際だたせて目立たせることができるものである。
【０００５】
ここで、近時においては見出しポケットの中に見出し紙が挿入されずに使用されているケースも見られている。そのようなケースを想定すると、上記特許文献１のように見出しポケット自体が目立たない透明のシートを用いずに、所定の色彩を呈したシートを用いることが考えられる。
【０００６】
しかしながら所定の色彩を呈したシートを用いる場合、ファイルを構成する表紙とは異なる素材を用いた場合であると、ファイル自体の見た目の一体感が損なわれるということが考えられる。また見出しを構成するシートをファイルの表紙を構成するシートに対し例えば色彩が異なる以外は同じであるものとすればファイルすなわち文具製品としての一体感は担保されるものと考えられる。しかしそうすると、文具製品の外形であるファイルの表表紙や裏表紙を構成し得るシートと同じ強度を有するシートにより見出しポケットを構成することになる。その結果、見出し紙の挿脱の際、見出しポケットの箇所が使用者の従来の見出しポケットのように撓まず、使用者に違和感を覚えさせてしまう場合も考えられる。
【先行技術文献】
【特許文献】
【０００７】
【特許文献１】特開２０１２−２３２４５１号公報
【発明の概要】
【発明が解決しようとする課題】
【０００８】
本発明は、このような不具合に着目したものであり、所望の視認性を担保しつつ、好適な使用感を提供し得る文具製品を提供することを目的としている。
【課題を解決するための手段】
【０００９】
本発明は、このような目的を達成するために、次のような手段を講じたものである。
【００１０】
すなわち本発明に係る文具製品は、可撓性を有する合成樹脂からなり透光性を有する主シートと、この主シートの一部に重層して配されるとともに前記主シートと同じ素材からなる透光性を有するものであり且つ厚み寸法を小さくすることにより撓み易く形成した副シートとを有する表シート体を、使用者側へ向けた表面に配してなり、前記主シートと前記副シートとの間に紙葉類を通し得るようにしていることを特徴とする。
【００１１】
ここで、「主シートと副シートとの間に紙葉類を通し得る」とは、主シートと副シートとの間に紙葉類を挿通或いは挿抜させ得る態様に限られず、主シートと副シートとの間に紙葉類を挟み込んでおく態様をも含む概念である。
【００１２】
また「透光性を有する」とは、透明のみならず半透明といった透過性を有するものが含まれることは勿論であるが、外方から表シート体を介して紙葉類を見たとき、紙葉類自体は認識し得るが、当該紙葉類に記されている内容までは明確に視認し得ない程度の透過性を有するものが含まれる。
【００１３】
このようなものであれば、表シート体を介して紙葉類を好適に認識し得るとともに、主シートと副シートとの間に紙葉類を通すときには副シートの方が撓みやすいため、使用者にとっての扱い易さも有効に担保し得る。加えて主シート及び副シートは、厚みは異なるが同じ素材を用いているため、文具製品全体としての見た目の一体感も有効に保ち得る。すなわち本発明によれば、所望の視認性を担保しつつ、好適な使用感を提供し得る文具製品を実現することが可能となる。
【００１４】
また、主シート及び副シートの重層箇所を視認させることにより文具製品の形状をより使用者に印象付けるようにするためには、主シートの透光性を副シートの透光性よりも高くすることが望ましい。
【００１５】
そして、斯かる文具製品の一態様として、表シート体の裏面側に裏シート体を設けるとともに、表シート体と裏シート体との間に紙葉類を収容し得る収容部を形成している文具製品とした態様を挙げることができる。
【００１６】
上述した文具製品の具体的な構成として、副シートが表シート体に接離可能に構成されることにより、主シートと前記副シートとの間から紙葉類を挿脱し得るようにしたものが望ましい。
【００１７】
また、主シートと副シートとの間に紙葉類を通し得る他の態様として、主シートと副シートとの間に、紙葉類を挟み込むための挟み込み部を形成した態様を挙げることができる。
【００１８】
そして、使用者にとって好適に使用され得る文具製品の他の一態様として、表シート体の裏面側に裏シート体を設けるとともに、これら表シート体及び裏シート体が冊子本体を挟み込んだ状態で端部の一部が綴じられている態様、所謂ノートやメモといった文具製品を挙げることができる。
【００１９】
そして上述した文具製品の使用者にとっての識別性をさらに向上させるためには、主シート又は副シートの一部における外方から露出する箇所に、使用者に一定の印象を与え得る印象付与部を設けておくことが望ましい。
【発明の効果】
【００２０】
本発明によれば、所望の視認性を担保しつつ、好適な使用感を提供し得る文具製品を提供することができる。
【図面の簡単な説明】
【００２１】
【図１】本発明の第一実施形態に係る斜視図。
【図２】同正面図。
【図３】本発明の第二実施形態に係る正面図。
【図４】同構成説明図。
【図５】本発明の第三実施形態に係る正面図。
【図６】同構成説明図。
【図７】本発明の第四実施形態に係る正面図。
【図８】同実施形態に係る他の正面図。
【発明を実施するための形態】
【００２２】
＜第一実施形態＞
以下、本発明の第一実施形態について図面を参照して説明する。
【００２３】
本実施形態に係る文具製品の一例として示すフォルダバッグＦＢは、例えばフィルダインバッグとも称されるもので、内部に白色を呈する仕切り板５を標準に有してなり、この仕切り板５或いは内部に収容した紙葉類を自由に出し入れできるものである。
【００２４】
このフォルダバッグＦＢは仕切り板５を収容する収容部４と、この収容部４を開閉可能な使用時に使用者側に向いている表シート体１と、この表シート体１とともに収容部４を構成し得る裏シート体２とを有している。
【００２５】
ここで、本実施形態に係る文具製品たるフォルダバッグＦＢは、表シート体１を、可撓性を有する合成樹脂からなり透光性を有する主シート１１と、この主シート１１の一部に重層して配されるとともに主シート１１と同じ素材からなる透光性を有するものであり且つ厚み寸法を小さくすることにより撓み易く形成した副シート１２とを有するものとして使用者側へ向けた表面に配し、主シート１１と副シート１２との間に紙葉類を通し得るようにしていることを特徴としている。
【００２６】
以下、フォルダバッグＦＢの構成について説明する。
【００２７】
仕切り板５は、本実施形態では白色を呈した例えば可撓性を有するポリプロピレン製の、例えばＡ４版と称される所定規格よりも若干大きな寸法に設定された、例えば白色を呈した一層のシートであり、収納部４に収容する複数枚の紙葉類を使用者の意図に沿って分けるべく仕切るためのものである。そしてこの仕切り板５は白色を呈するものが適用されることにより、フォルダバッグＦＢ内に収容する紙葉類等を視覚的に視認し易く映えるようにする、つまり主シート１１、副シート１２とのコントラストを印象付け得るという効果を奏している。仕切り板５は本実施形態では例えば、主シート１１及び副シートと同じポリプロピレン製としつつ、素材の厚み寸法を主シート１１よりも大きく設定しているか或いは、厚み寸法を例えば同程度としつつ強度が高い素材を用いることにより、主シート１１よりも高い強度を有している。これにより、仕切り板５を収容したフォルダバッグＦＢの形状保持にも資するようにしている。この仕切り板５の具体的な寸法は、例えばＡ４版の書類を十分に収容し得る所謂クリヤーホルダーと称される一般的な書類ホルダやクリヤーポケットといったものと略同じ大きさに設定されている。すなわちＡ４版の書類或いは図示しない書類ホルダに入れられた紙葉類を仕切り板５に仕切られた状態とし、これらをそのままフォルダバッグＦＢになんら違和感無く収容し得る態様が実現されている。当該仕切り板５は勿論、図示の構成に限られることはなく、例えば一辺が折り曲げよって形成された二層のシートからなり、収納部４と仕切り板５間或いは仕切り板を構成する二層のシート間に紙葉類を適宜挟み込み、収納部４内を３層に仕切り得るものとしても良い。このように、当該仕切り板５の具体的な構成については従来の態様を適宜適用可能であるため、詳細な説明は省略するものとする。
【００２８】
裏シート体２は、本実施形態では上記の主シート１１を延出させた樹脂部分を背面側へ折り返し、両側を溶着することにより構成される。すなわち主シート１１と同一色且つ同一素材によって構成されている。そして主シート１１から折り返した一端側に対向する他端側において副シート１２を構成する樹脂素材に溶着部Ｘにより接合してなる。詳細には、裏シート体２は、主に主シート１１を構成する素材により構成され、他端側の一領域のみ溶着部Ｘを介して接合された副シート１２を構成する素材によって構成されている。そして本実施形態では、表シート体１の裏面側にこのように裏シート体２を設けるとともに、表シート体１と裏シート体２との間に、収容部４を形成している。
【００２９】
表シート体１は、上述した主シート１１及び副シート１２に加え、本実施形態では副シート１２に施された印象付与部１３を有している。
【００３０】
主シート１１は、例えば表面に光沢を有した所定の厚みをなす透光性を有するポリプロピレン製のものである。この主シート１１の一端側は上述の通り裏シート体２に対し折り曲げ連続するとともに、他端側においては収容部４への紙葉類の挿抜を行い易くするよう、例えば部分円弧形状をなす凹み部１１ｂが設けられている。そして当該主シート１１は透光性を有していれば透明であってもまたは別のどのような色彩であっても良いが、本実施形態では主シート１１の透光性は必ず、副シート１２の透光性よりも高くしている。
【００３１】
副シート１２は、主シート１１と同様に表面に光沢を有したポリプロピレン製のものとする一方、素材の厚み寸法を小さく、すなわち薄く構成することによって、主シート１１よりも撓みやすく構成されている。また副シート１２は主シート１１同様透光性を有するものであるが、主シート１１の色彩に比べて透光性が低くなるよう色彩或いは色の濃度が調整されている。また本実施形態では当該副シート１２の形状は、表シート体１の他端から全体の約４分の３程度を覆い得る矩形状をなし、一部のみ主シート１１が露出する形状としている。ここで各図面において、副シート１２の一部において適宜パターンを施すことによって副シート１２の透光性が低い旨を図示しているが、符号等の図示の便宜上、副シート１２の全領域ではなく、一部の領域にのみパターンを施し、副シート１２におけるパターンを図示した領域とは別の領域への着色を省略している。また本実施形態では副シート１２の基端部を、裏シート体２から素材を折り返すことによって設けている。すなわち当該副シート１２は前記折り返し箇所において適宜折り返して主シート１１に対して接離可能とすることにより、収容部４内の仕切り板５や他の紙葉類の挿抜を容易なものとしている。
【００３２】
印象付与部１３は、本実施形態では外方から露出する副シート１２の縁部の所定領域において、挿し色と称されるような例えば印刷によって構成されたものであり、所定の文字やマークをその印象付与部１３における周りの部位とは異なる色により文字或いは記号を印刷したマーク部１３ａを設けている。これにより、印象付与部１３への使用者の注目を惹起し得るようにしている。そして本実施形態では印象付与部１３を副シート１２側に設けている一方で、印象付与部１３が呈するマーク部１３ａ以外の主たる色彩を、例えば主シート１１の色彩に近い色彩としている。そうすることで、文具製品であるフォルダバッグＦＢ全体としての見た目上の統一感が惹起されている。
【００３３】
以上のような構成とすることにより、本実施形態に係る文具製品たるフォルダバッグＦＢは、表シート体１を介して紙葉類を好適に認識し得るとともに、主シート１１と副シート１２との間に紙葉類を通すときには副シート１２の方が撓みやすいため、主シート１１及び副シート１２が不意に同じ様に撓むことなく所望の変形が実現されるので、使用者にとっての扱い易さも有効に担保し得る。加えて主シート１１及び副シート１２は、厚みは異なるが同じ素材を用いているため、文具製品全体としての見た目の一体感も有効に保ち得る。また主シート１１と副シート１２とを同じ素材とすることにより、異なった色を呈色するように構成すればその色の差異が明確に現れ易いもの、換言すればコントラストが現れ易いものとなっている。さらに主シート１１と副シート１２とで同じ素材を用いているということは、製造時の素材の点数も減らすことができ、溶着加工も異なる素材を溶着するときに比べ、容易に行うことができる。すなわち本実施形態によれば、所望の視認性を担保しつつ、好適な使用感を提供し得る事に加え、製造をも行い易くした文具製品を実現している。
【００３４】
また、主シート１１及び副シート１２の重層箇所を視認させることにより文具製品の形状をより使用者に印象付けるようにするために本実施形態では、主シート１１の透光性を副シート１２の透光性よりも高くするようにしている。
【００３５】
特に本実施形態では、副シート１２を介して収容部４に収容される仕切り板５や他の紙葉類等を使用者が見たとき、内容物の有無、内容物における記載の有無は認識し得るものの、記載の内容までは認識し得ない程度の透光性を有している。そのため、収容部４内の書類の内容は外部から事実上隠蔽されることとなる。これにより収容部４に例えば重要な書類を収容した使用者へ安心感を与えることができる。
【００３６】
そして本実施形態では、表シート体１の裏面側に裏シート体２を設けるとともに、表シート体１と裏シート体２との間に紙葉類を収容し得る収容部４を形成し、紙葉類や仕切り板５を好適に保持し得るようにしている。
【００３７】
特に本実施形態では、副シート１２を構成する素材を折り曲げて副シート１２の基端を構成することにより、副シート１２が表シート体１に接離可能とすることで、主シート１１と副シート１２との間から紙葉類や仕切り板５を容易に挿脱し得るようにしている。特に副シート１２は主シート１１よりも撓みやすい素材であるため、主シート１１及び裏シート体２を構成する相対的に厚い素材に対して柔らかな副シート１２が使用者の意図に応じた開閉動作が可能であるため、使用者にとって収容部４からの紙葉類や仕切り板５といった内容物の出し入れを容易に行い得る。
【００３８】
以下に本発明の第二実施形態以降の各実施形態について説明する。各実施形態において、上記実施形態の構成要素に相当するものに対しては同じ符号を付すとともに、その詳細な説明を省略するものとする。
【００３９】
＜第二実施形態＞
本発明の第二実施形態に係る図３及び図４に示す文具製品たるホックケースＨＣは、表シート体１及び裏シート体２の基本構成は上記実施形態と略同様である。また当該ホックケースＨＣは上記実施形態とは異なり収容部４内に仕切り板５を配していない。
【００４０】
ここで本実施形態に係るホックケースＨＣは図３及び図４に示すように、収容部４内の紙葉類といった内容物を好適に保持しておくため、主シート１１と副シート１２との間にホックＨを配し、これら主シート１１と副シート１２との相対動作をホックＨにより必要に応じて禁止し得るようにしている。また本実施形態ではホックＨの色彩を適宜設定し得るが、副シート１２の色彩に準じたものとしたり、主シート１１の色彩に準じたものとしたりすることにより、文具製品たるホックケースＨＣ全体としての統一感を向上させても良い。
【００４１】
表シート体１は、本実施形態についても上記同様、主シート１１と副シート１２とを有している。そして副シート１２は平面視概略三角形状に形成するとともにその先端側つまり一端側よりにホックＨを配している。また本実施形態では上記実施形態とは異なり、印象付与部１３を、主シート１１側に印刷によって配している。
【００４２】
このようなものであっても上記実施形態同様、表シート体１を介して紙葉類等の内容物を好適に認識し得るとともに、主シート１１と副シート１２との間に紙葉類を通すときには副シート１２の方が撓みやすいため、使用者にとっての扱い易さも有効に担保し得る。加えて主シート１１及び副シート１２は、厚みは異なるが同じ素材を用いているため、文具製品全体としての見た目の一体感も有効に保ち得る。すなわち本実施形態によれば、所望の視認性を担保しつつ、好適な使用感を提供し得る態様を実現している。
【００４３】
＜第三実施形態＞
本実施形態に係る文具製品たるインデックスフォルダＩＦを図５及び図６に示す。当該インデックスフォルダＩＦは、上記各実施形態同様、表シート体１が主シート１１と副シート１２とを有するとともに裏シート体２を配してなり、表シート体１と裏シート体２との間に収容部４を形成している点は上記実施形態と同様であるが、収容部４への紙葉類の出し入れは主シート１１と副シート１２との間の空間を利用しないものとしている。そして本実施形態では、主シート１１と副シート１２との間に、紙葉類を挟み込むための挟み込み部１０を形成している。また本実施形態では印象付与部１３を、副シート１２側における主シート１１に隣接した縁部に、印刷によって配している。
【００４４】
そして本実施形態では、表シート体１と裏シート体２との間に複数、例えば４枚の仕切りシート３を配することにより、インデックスフォルダＩＦは表シート体１、仕切りシート３及び裏シート体２合わせて、少なくとも六枚の樹脂素材が重なる構造とし、矩形状をなす外形の隣接する二辺を開放させることにより、これらの各シート体及び仕切りシート３間に、計五層の収容部４を形成し、当該収容部４に所望の紙葉類を挟み込んで収容し得る。
【００４５】
仕切りシート３は、本実施形態では例えば、主シート１１と厚み、色彩及び素材を同じくしているが斯かる態様に限られない。また本実施形態では仕切りシート３の側縁には適宜使用者が別途シール等を貼付することや手指により摘むことが行い易いよう、見出し部３１ａを形成している。
【００４６】
そして本実施形態では上記各実施形態とは異なり、主シート１１の側縁に、上記仕切りシート３の見出し部３１ａに対応する見出し部１１ａを形成している。そして使用者は表シート体１の主シート１１に設けられた見出し部１１ａ及び各仕切りシート３に設けられた見出し部３１ａを適宜摘むことによって、計五層に形成された各収容部４への容易なアクセスを行い得る。なお本実施形態に係る各見出し部１１ａ、３１ａは、それぞれ重層しないよう位置を互いにずらして形成しているが、当該見出し部１１ａ、３１ａの形状、配置といった態様については既存の態様を適宜利用し得るため、詳細な説明を省略する。
【００４７】
しかして本実施形態に係る文具製品たるインデックスフォルダＩＦは、表シート体１の主シート１１と副シート１２の矩形状をなす重複箇所における両側及び底側を折り曲げ又は溶着部Ｘにより封止することで、主シート１１と副シート１２との間に、例えばカードＣ程度の厚みの紙葉類であれば挟み得る挟み込み部１０を形成している。そして本実施形態では副シート１２に凹み部１２ｂを形成することにより、当該凹み部１２ｂから副シート１２をめくる等により主シート１１と離間させ易くすることで、挟み込み部１０への紙葉類の挿抜が容易となるようにしている。
【００４８】
また図６に示すように、挟み込み部１０にカードＣを挿入し、副シート１２を介してカードＣを見たとき、当該カードＣに記載のある箇所は外方から認識し得るものの、記載の内容は一見して認識し得ない程度に副シート１２の透光性が調整されているため、使用者以外の者に記載内容が容易に認識し得ないようになっている。
【００４９】
このように本実施形態に係るインデックスフォルダＩＦであれば、上記各実施形態同様、表シート体１を介して紙葉類等の内容物を好適に認識し得るとともに、挟み込み部１０に適宜カードＣやメモ等を挟み込むことにより、使用者にとっての文具製品の識別性を有効に向上させ得る。
【００５０】
＜第四実施形態＞
本発明の第四実施形態に係る文具製品であるリングノートＲＮ及びリングメモＲＭを図７及び図８にそれぞれ示す。これらリングノートＲＮ及びリングメモＲＭは、上記第三実施形態にて開示した表シート体を表表紙１Ａとして適用したものである。すなわち、これらリングノートＲＮ及びリングメモＲＭは、表シート体である表表紙１Ａを、使用者側へ向けた表面に配してなり、主シート１１と副シート１２との間に紙葉類を通し得るようにしている文具製品である。
【００５１】
これらリングノートＲＮ及びリングメモＲＭは、表表紙１Ａと、この表表紙１Ａの裏面側に裏シート体２たる裏表紙２Ａを設けるとともに、これら表表紙１Ａ及び裏表紙２Ａが冊子本体たるノート本体６及びメモ本体７を挟み込んだ状態で端部の一部がリングＲによって綴じられているものである。なお本実施形態では表表紙１Ａ、裏表紙２Ａ及び冊子本体たるノート本体６及びメモ本体７に適宜綴じ穴を設け、上記リングＲを挿通させることによって冊子を構成しているが、斯かる構成は既存の適宜の構成を適用し得る。
【００５２】
裏表紙２Ａは、本実施形態では上記実施形態の裏シート体とは異なり、折り曲げがたく構成された厚手の紙素材からなる。また勿論裏表紙２Ａの素材は当該紙素材に限定されず、表表紙１Ａを構成する主シート１１と同じ厚みを有する素材や、他の樹脂素材や、金属板など、適宜のものを利用し得る。
【００５３】
本実施形態では同図に示すように冊子本体として、リングノートＲＮにおいては直線状の罫線６ａを有したノート本体６を、リングメモＲＭにおいては方形状の罫線７ａを印刷したメモ本体７を適用している。これら冊子本体は同じ仕様の紙を例えば９０枚重層させて構成しているが勿論、各紙の印刷内容を適宜異ならせてダイヤリー等を構成しても良い。
【００５４】
表表紙１Ａは、上記各実施形態同様、ポリプロピレン製の主シート１１及び副シート１２を有しているが、主シート１１の厚みを上記のいずれの実施形態よりも厚い寸法に構成することにより、主シート１１は可撓性を有するものの、容易には湾曲し得ない程度の強度を有するようにしている。また主シート１１は外方に露出する表側は上記各実施形態同様、つや出し加工により光沢が出るようにしているが、裏面側には手指が触れた跡が付き難いシボ加工を施している。そして副シート１２は、主シート１１におけるリングＲに綴じられていない三辺を溶着により接合することで、主シート１１との間に上記第三実施形態同様の挟み込み部１０を形成している。また副シート１２は上記第三実施形態同様、凹み部１２ｂを形成し、挟み込み部１０への紙葉類の挟み込みを行い易いよう、容易にめくることができ主シート１１に対して一時的に離間させ易いようにしている。
【００５５】
また本実施形態では上記第三実施形態同様、副シート１２における主シート１１に隣接した縁部に印象付与部１３を印刷により設けているが、この印象付与部１３の近傍には印象付与部１３とは別に、印刷部１２ａを配してなる。この印刷部１２ａの記載内容は例えば、冊子本体たるノート本体６及びメモ本体７を構成する紙の枚数やサイズを示す規格、又は罫線の種類といった当該リングノートＲＮ及びリングメモＲＭ自体の仕様に関する内容を印刷することが考えるが勿論、印刷部１２ａの印刷内容は文字やマーク、絵柄等、種々の内容を適用することが可能である。
【００５６】
そして本実施形態では主シート１１の透光性又は透明度を適宜調整することにより、冊子本体に印刷された罫線６ａ、７ａの存在が主シート１１を介して確認できるようにしている。一方副シート１２を配した箇所では罫線６ａ、７ａを視認し得ないようにしている。また、挟み込み部１０に紙葉類を挟み込んだときは、上記実施形態同様、記載のある箇所は外方から認識し得るものの、記載の内容は一見して認識し得ない程度に副シート１２の透光性が調整されているため、使用者以外の者に記載内容が容易に認識し得ないようになっている。
【００５７】
以上のように本実施形態に係る冊子としての文具製品であるリングノートＲＮ及びリングメモＲＭは上記各実施形態同様、主シート１１及び副シート１２は、厚みは異なるが同じ素材を用いているため、文具製品全体としての見た目の一体感も有効に保ち得る。すなわち本実施形態によれば、所望の視認性を担保しつつ、好適な使用感を提供し得る態様を実現している。
【００５８】
以上、本発明の実施形態について説明したが、各部の具体的な構成は、上述した実施形態のみに限定されるものではなく、本発明の趣旨を逸脱しない範囲で種々変形が可能である。例えば上記第一実施形態では収納部内に仕切り板を収容しておく態様を開示したが勿論、当該仕切り板に代えて一又は複数の、例えばクリヤーホルダーと称される書類ホルダを予め収容しておくものとしても良い。このようなものであれば上記第一実施形態に記した紙葉類を仕切る用途としてのみならず書類ホルダごとフォルダバッグから容易に出し入れするという用途にも供し得る。また例えば上記各実施形態では各々の文具製品について個別に説明したが、上記の文具製品を複数揃えておき、印象付与部を同じ態様のものに統一することにより、複数の文具製品からなる統一感を有した文具セットを構成することも可能である。斯かる場合、それぞれの文具製品がさらに同じ形状を有していたり、又は同じか似た色により構成されているようにしたりすれば、文具セットとしての統一感もさらに向上させることができる。また例えば、上記実施形態では樹脂素材は全て透光性を有する態様を開示したが、勿論、表シート体を構成しない樹脂素材については透光性を有さないものを適用しても良い。また文具製品のサイズや具体的な形状といった態様は上記実施形態のものに限定されることはなく、既存のものを含め、種々の態様のものを適用することができる。
【００５９】
その他、各部の具体的構成についても上記実施形態に限られるものではなく、本発明の趣旨を逸脱しない範囲で種々変形が可能である。
【産業上の利用可能性】
【００６０】
本発明は紙葉類を綴じたり収容したりして保持しておくための文具製品として利用することができる。
【符号の説明】
【００６１】
１…表シート体
１Ａ…表シート体（表表紙）
１０…挟み込み部
１１…主シート
１２…副シート
２…裏シート体
２Ａ…裏シート体（裏表紙）
４…収容部
ＦＢ…文具製品（フォルダバッグ）
ＨＣ…文具製品（ホックケース）
ＩＦ…文具製品（インデックスフォルダ）
ＲＮ…文具製品（リングノート）
ＲＭ…文具製品（リングメモ）
【図１】
2015217555.tif 000003
【図２】
2015217555.tif 000004
【図３】
2015217555.tif 000005
【図４】
2015217555.tif 000006
【図５】
2015217555.tif 000007
【図６】
2015217555.tif 000008
【図７】
2015217555.tif 000009
【図８】
2015217555.tif 000010